(57)【要約】【課題】長波の信号を良好な状態で受信することができず、また、マイクロ波の信号を電力不足に起因して復調等できないことがあった。【解決手段】現時刻を表す現時刻データを生成すべく計時を行う計時部と、前記計時部により生成される前記現時刻データを調整するための時刻情報を含む、長波からなる変調信号を受信するアンテナ部と、物理的な動きにより電力を生成する電力生成部と、前記電力生成部が前記電力を生成しているか否かを検出する電力検出部と、前記電力検出部が、前記電力生成部が前記電力を生成していないことを検出したとき、前記変調信号から前記時刻情報を取得すべく、前記変調信号を復調する復調部と、を含む。【選択図】図１
2009047569.tif 000002
【特許請求の範囲】
【請求項１】
現時刻を表す現時刻データを生成すべく計時を行う計時部と、
前記計時部により生成される前記現時刻データを調整するための時刻情報を含む、長波からなる変調信号を受信するアンテナ部と、
電力を生成する電力生成部と、
前記電力生成部が前記電力を生成しているか否かを検出する電力検出部と、
前記電力検出部が、前記電力生成部が前記電力を生成していないことを検出したとき、前記変調信号から前記時刻情報を取得すべく、前記変調信号を復調する復調部と、
を含むことを特徴とする電波時計。
【請求項２】
現時刻を表す現時刻データを生成すべく計時を行う計時部と、
前記計時部により生成される前記現時刻データを調整するための時刻情報を含む、長波からなる変調信号を受信するアンテナ部と、
電力を生成する電力生成部と、
前記電力生成部が前記電力を生成しているか否かを検出する電力検出部と、
前記電力検出部が、前記電力生成部が前記電力を生成していることを検出した場合であって、当該電力が一時的に生成されていないときに、前記変調信号から前記時刻情報を取得すべく、前記変調信号を復調する復調部と、
を含むことを特徴とする電波時計。
【請求項３】
現時刻を表す現時刻データを生成すべく計時を行う計時部と、
前記計時部により生成される前記現時刻データを調整するための時刻情報を含む変調信号を受信するアンテナ部と、
電力を生成する電力生成部と、
前記電力生成部により生成された前記電力を蓄積する電力蓄積部と、
前記電力生成部が生成する電力又は前記電力蓄積部が蓄積している電力が、当該電波時計が全体として前記現時刻データを調整するための動作を行うのに充分であるか否かを判断する電力判断部と、
前記電力判断部が、前記電力生成部が生成する電力又は前記電力蓄積部が蓄積している電力が前記動作を行うために充分であると判断したとき、前記変調信号から前記時刻情報を取得すべく、前記変調信号を復調する復調部と、
を含むことを特徴とする電波時計。
【請求項４】
現時刻を表す現時刻データを生成すべく計時を行う計時部と、
前記計時部により生成される前記現時刻データを調整するための時刻情報を含む、長波からなる第１の変調信号、又は、第２の変調信号を受信するアンテナ部と、
電力を生成する電力生成部と、
前記電力生成部が前記電力を生成しているか否かを検出する電力検出部と、
前記電力生成部により生成された前記電力を蓄積する電力蓄積部と、
前記電力生成部が生成する電力又は前記電力蓄積部が蓄積している電力が、電波時計が動作を行うために充分であるか否かを判断する電力判断部と、
前記電力検出部が、前記電力生成部が前記電力を生成していないことを検出したとき、前記第１の変調信号から前記時刻情報を取得すべく、前記第１の変調信号を復調し、前記電力判断部が、前記電力生成部が生成する電力又は前記電力蓄積部が蓄積している電力が前記動作を行うために充分であると判断したとき、前記第２の変調信号から前記時刻情報を取得すべく、前記第２の変調信号を復調する復調部と、
を含むことを特徴とする電波時計。
【請求項５】
前記電力生成部は、前記電力の生成を物理的な動きにより行うことを特徴とする請求項１〜４記載の電波時計。
【請求項６】
現時刻を表す現時刻データを生成すべく計時を行う計時工程と、
前記計時工程により生成される前記現時刻データを調整するための時刻情報を含む、長波からなる変調信号を受信する受信工程と、
電力を生成する電力生成工程と、
前記電力生成工程で前記電力を生成しているか否かを検出する電力検出工程と、
前記電力検出工程で、前記電力生成工程が前記電力を生成していないことを検出したとき、前記変調信号から前記時刻情報を取得すべく、前記変調信号を復調する復調工程と、
を含むことを特徴とする時刻情報の受信方法。
【請求項７】
現時刻を表す現時刻データを生成すべく計時を行う計時工程と、
前記計時工程により生成される前記現時刻データを調整するための時刻情報を含む、長波からなる変調信号を受信する受信工程と、
電力を生成する電力生成工程と、
前記電力生成工程が前記電力を生成しているか否かを検出する電力検出工程と、
前記電力検出工程が、前記電力生成工程が前記電力を生成していることを検出した場合であって、当該電力が一時的に生成されていないときに、前記変調信号から前記時刻情報を取得すべく、前記変調信号を復調する復調工程と、
を含むことを特徴とする時刻情報の受信方法。
【請求項８】
現時刻を表す現時刻データを生成すべく計時を行う計時工程と、
前記計時工程により生成される前記現時刻データを調整するための時刻情報を含む変調信号を受信する受信工程と、
電力を生成する電力生成工程と、
前記電力生成工程により生成された前記電力を蓄積する電力蓄積工程と、
前記電力生成工程が生成する電力又は前記電力蓄積工程が蓄積している電力が、当該時刻情報の受信方法が全体として前記現時刻データを調整するための動作を行うのに充分であるか否かを判断する電力判断工程と、
前記電力判断工程が、前記電力生成工程が生成する電力又は前記電力蓄積工程が蓄積している電力が前記動作を行うために充分であると判断したとき、前記変調信号から前記時刻情報を取得すべく、前記変調信号を復調する復調工程と、
を含むことを特徴とする時刻情報の受信方法。
【請求項９】
現時刻を表す現時刻データを生成すべく計時を行う計時工程と、
前記計時工程により生成される前記現時刻データを調整するための時刻情報を含む、長波からなる第１の変調信号、又は、第２の変調信号を受信する受信工程と、
電力を生成する電力生成工程と、
前記電力生成工程が前記電力を生成しているか否かを検出する電力検出工程と、
前記電力生成工程により生成された前記電力を蓄積する電力蓄積工程と、
前記電力生成工程が生成する電力又は前記電力蓄積工程が蓄積している電力が、当該時刻情報の受信方法が全体として前記現時刻データを調整するための動作を行うのに充分であるか否かを判断する電力判断工程と、
前記電力検出工程が、前記電力生成工程が前記電力を生成していないことを検出したとき、前記第１の変調信号から前記時刻情報を取得すべく、前記第１の変調信号を復調し、前記電力判断工程が、前記電力生成工程が生成する電力又は前記電力蓄積工程が蓄積している電力が前記動作を行うために充分であると判断したとき、前記第２の変調信号から前記時刻情報を取得すべく、前記第２の変調信号を復調する復調工程と、
を含むことを特徴とする時刻情報の受信方法。
【請求項１０】
前記電力生成工程は、前記電力の生成を物理的な動きにより行うことを特徴とする請求項６〜請求項９記載の時刻情報の受信方法。
【発明の詳細な説明】
【技術分野】
【０００１】
本発明は、電波時計に関し、特に、腕時計のような身に付けるタイプの電波時計及び当該電波時計に用いられる時刻情報の受信方法に関する。
【背景技術】
【０００２】
電波時計は、内部クロック等に基づく計時により生成される現時刻データ（現時刻を表すデータ）を、電波により受信される時刻情報（前記現時刻データを修正するための情報）に基づき、例えば、毎日一定の時刻（例えば、夜中の３時）に修正する機能を有する。当該機能を発揮すべく、下記の特許文献１〜３に記載された電波時計の主要な構成部の一つである「発電部又は発電機構」を有する従来の電波時計は、前記時刻情報が含まれる、長波又はマイクロ波からなる変調信号を受信し、当該受信した変調信号を復調する必要がある。
【０００３】
【特許文献１】特開２００１−２９６３７９号公報
【特許文献２】特開２００４−３９９３号公報
【特許文献３】特開２００４−２９０３６号公報
【発明の開示】
【発明が解決しようとする課題】
【０００４】
しかしながら、前者の長波からなる変調信号を受信する電波時計は、当該長波の波長の関係上、即ち、波長が長いことから、当該電波時計を身に付けているユーザが、動作を行っているときには、前記変調信号を良好な状態で受信することができず、結果的に、上記した現時刻データを修正することができないという問題があった。
【０００５】
また、後者のマイクロ波からなる変調信号を受信する電波時計は、当該マイクロ波の周波数の関係上、即ち、周波数が高いことから、例えば、前記変調信号を復調する復調回路での消費電力が大きく、従って、当該電波時計が動作するのに充分な電力が確保されていないときに前記復調を行おうとしても当該復調の動作が不良になり、その結果として、上記した現時刻データを修正することができないという問題があった。
【課題を解決するための手段】
【０００６】
本発明は、上記した課題を解決すべく、以下の適用例により実現される。
【０００７】
［適用例１］
適用例１の電波時計は、
現時刻を表す現時刻データを生成すべく計時を行う計時部と、
前記計時部により生成される前記現時刻データを調整するための時刻情報を含む、長波からなる変調信号を受信するアンテナ部と、
電力を生成する電力生成部と、
前記電力生成部が前記電力を生成しているか否かを検出する電力検出部と、
前記電力検出部が、前記電力生成部が前記電力を生成していないことを検出したとき、前記変調信号から前記時刻情報を取得すべく、前記変調信号を復調する復調部と、を含む。
【０００８】
適用例１の電波時計によれば、前記復調部は、前記電力検出部が、前記電力生成部が前記電力を生成していないことを検出したとき、即ち、ユーザが動作を行っていないと認められるとき、前記変調信号から前記時刻情報を取得すべく、前記変調信号を復調することにより、当該ユーザ動作を行っていない条件下で、即ち、電波を良好に受信することができる条件下で受信された当該電波に含まれる変調信号を復調することになることから、従来と異なり、現時刻データの修正を行うことが可能となる。
【０００９】
［適用例２］
適用例２の電波時計は、
現時刻を表す現時刻データを生成すべく計時を行う計時部と、
前記計時部により生成される前記現時刻データを調整するための時刻情報を含む、長波からなる変調信号を受信するアンテナ部と、
電力を生成する電力生成部と、
前記電力生成部が前記電力を生成しているか否かを検出する電力検出部と、
前記電力検出部が、前記電力生成部が前記電力を生成していることを検出した場合であって、当該電力が一時的に生成されていないときに、前記変調信号から前記時刻情報を取得すべく、前記変調信号を復調する復調部と、を含む。
【００１０】
適用例２の電波時計によれば、前記復調部は、前記電力検出部が、前記電力生成部が前記電力を生成していることを検出した場合、当該電力が生成されていないときに、即ち、ユーザが動作を行っていると認められる場合であるものの、当該動作が一時的に中断されていると予想されるときに、前記変調信号から前記時刻情報を取得すべく、前記変調信号を復調することにより、上記したと同様に、現時刻データの修正を行うことができる。
【００１１】
［適用例３］
適用例３の電波時計は、
現時刻を表す現時刻データを生成すべく計時を行う計時部と、
前記計時部により生成される前記現時刻データを調整するための時刻情報を含む変調信号を受信するアンテナ部と、
電力を生成する電力生成部と、
前記電力生成部により生成された前記電力を蓄積する電力蓄積部と、
前記電力生成部が生成する電力又は前記電力蓄積部が蓄積している電力が、当該電波時計が全体として前記現時刻データを調整するための動作を行うのに充分であるか否かを判断する電力判断部と、
前記電力判断部が、前記電力生成部が生成する電力又は前記電力蓄積部が蓄積している電力が前記動作を行うために充分であると判断したとき、前記変調信号から前記時刻情報を取得すべく、前記変調信号を復調する復調部と、を含む。
【００１２】
適用例３の電波時計によれば、前記復調部は、前記電力判断部が、前記電力生成部が生成する電力又は前記電力蓄積部が蓄積している電力が前記動作を行うために充分であると判断したとき、前記変調信号から前記時刻情報を取得すべく、前記変調信号を復調することから、従来のような、動作を行うのに充分な電力が無いにも拘わらず動作を行おうとして、動作不良になり、その結果として、現時刻データの修正を行うことができないという事態を回避することが可能となる。
【００１３】
［適用例４］
適用例４の電波時計は、
現時刻を表す現時刻データを生成すべく計時を行う計時部と、
前記計時部により生成される前記現時刻データを調整するための時刻情報を含む、長波からなる第１の変調信号、又は、第２の変調信号を受信するアンテナ部と、
電力を生成する電力生成部と、
前記電力生成部が前記電力を生成しているか否かを検出する電力検出部と、
前記電力生成部により生成された前記電力を蓄積する電力蓄積部と、
前記電力生成部が生成する電力又は前記電力蓄積部が蓄積している電力が、電波時計が動作を行うために充分であるか否かを判断する電力判断部と、
前記電力検出部が、前記電力生成部が前記電力を生成していないことを検出したとき、前記第１の変調信号から前記時刻情報を取得すべく、前記第１の変調信号を復調し、前記電力判断部が、前記電力生成部が生成する電力又は前記電力蓄積部が蓄積している電力が前記動作を行うために充分であると判断したとき、前記第２の変調信号から前記時刻情報を取得すべく、前記第２の変調信号を復調する復調部と、を含む。
【００１４】
適用例４の電波時計によれば、上記した適用例１の電波時計及び上記した適用例３の電波時計の両者の構成及び機能を有することにより、当該適用例４の電波時計が置かれた状況に応じて、前記適用例１の電波時計の効果又は前記適用例３の電波時計の効果を享受することが可能となる。
【００１５】
［適用例５］
適用例５の電波時計は、
適用例１〜適用例４の電波時計であって、
前記電力生成部は、前記電力の生成を物理的な動きにより行う。
【００１６】
［適用例６］
適用例６の時刻情報の受信方法は、
現時刻を表す現時刻データを生成すべく計時を行う計時工程と、
前記計時工程により生成される前記現時刻データを調整するための時刻情報を含む、長波からなる変調信号を受信する受信工程と、
電力を生成する電力生成工程と、
前記電力生成工程で前記電力を生成しているか否かを検出する電力検出工程と、
前記電力検出工程で、前記電力生成工程が前記電力を生成していないことを検出したとき、前記変調信号から前記時刻情報を取得すべく、前記変調信号を復調する復調工程と、を含む。
【００１７】
［適用例７］
適用例７の時刻情報の受信方法は、
現時刻を表す現時刻データを生成すべく計時を行う計時工程と、
前記計時工程により生成される前記現時刻データを調整するための時刻情報を含む、長波からなる変調信号を受信する受信工程と、
電力を生成する電力生成工程と、
前記電力生成工程が前記電力を生成しているか否かを検出する電力検出工程と、
前記電力検出工程が、前記電力生成工程が前記電力を生成していることを検出した場合であって、当該電力が一時的に生成されていないときに、前記変調信号から前記時刻情報を取得すべく、前記変調信号を復調する復調工程と、を含む。
【００１８】
［適用例８］
適用例８の時刻情報の受信方法は、
現時刻を表す現時刻データを生成すべく計時を行う計時工程と、
前記計時工程により生成される前記現時刻データを調整するための時刻情報を含む変調信号を受信する受信工程と、
電力を生成する電力生成工程と、
前記電力生成工程により生成された前記電力を蓄積する電力蓄積工程と、
前記電力生成工程が生成する電力又は前記電力蓄積工程が蓄積している電力が、当該時刻情報の受信方法が全体として前記現時刻データを調整するための動作を行うのに充分であるか否かを判断する電力判断工程と、
前記電力判断工程が、前記電力生成工程が生成する電力又は前記電力蓄積工程が蓄積している電力が前記動作を行うために充分であると判断したとき、前記変調信号から前記時刻情報を取得すべく、前記変調信号を復調する復調工程と、を含む。
【００１９】
［適用例９］
適用例９の時刻情報の受信方法は、
現時刻を表す現時刻データを生成すべく計時を行う計時工程と、
前記計時工程により生成される前記現時刻データを調整するための時刻情報を含む、長波からなる第１の変調信号、又は、第２の変調信号を受信する受信工程と、
電力を生成する電力生成工程と、
前記電力生成工程が前記電力を生成しているか否かを検出する電力検出工程と、
前記電力生成工程により生成された前記電力を蓄積する電力蓄積工程と、
前記電力生成工程が生成する電力又は前記電力蓄積工程が蓄積している電力が、当該時刻情報の受信方法が全体として前記現時刻データを調整するための動作を行うのに充分であるか否かを判断する電力判断工程と、
前記電力検出工程が、前記電力生成工程が前記電力を生成していないことを検出したとき、前記第１の変調信号から前記時刻情報を取得すべく、前記第１の変調信号を復調し、前記電力判断工程が、前記電力生成工程が生成する電力又は前記電力蓄積工程が蓄積している電力が前記動作を行うために充分であると判断したとき、前記第２の変調信号から前記時刻情報を取得すべく、前記第２の変調信号を復調する復調工程と、を含む。
【００２０】
［適用例１０］
適用例１０の時刻情報の受信方法は、
適用例６〜適用例９の時刻情報の受信方法であって、
前記電力生成工程は、前記電力の生成を物理的な動きにより行う。
【発明を実施するための最良の形態】
【００２１】
実施例の電波時計について図面を参照して説明する。
【００２２】
《実施例１》
図１は、実施例１の電波時計の構成を示す。実施例１の電波時計１は、ユーザが身に付ける腕時計型であり、長波の伝搬特性に優れる所定の時刻（例えば、夜中の３時）に、時刻情報ＴＩ（現時刻データＣＴを修正するための情報）が含まれる、いわゆる標準電波（長波）である信号ＳＧ１を受信すべく、図１に示されるように、アンテナ部１０と、復調・復号部１１と、計時部１２と、調整部１３と、表示部１４と、制御部１５と、電力生成部１６と、電力検出部１７とを含む。
【００２３】
アンテナ部１０は、前記信号ＳＧ１を受信するために、例えば、ループアンテナである。
【００２４】
復調・復号部１１は、例えば、振幅変調、周波数変調、又は位相変調の機能、及び、畳込み復号（例えば、ビタビ復号）の機能を有し、アンテナ部１０により受信された信号ＳＧ１を復調し、かつ、復号化することにより、当該信号ＳＧ１から時刻情報ＴＩを取得する。
【００２５】
計時部１２は、例えば、カウンタ回路からなり、電波時計１内の内部クロック（図示せず。）に基づき計時を行うことにより、現時刻を表す現時刻データＣＴを生成する。
【００２６】
調整部１３は、例えば、ＣＰＵからなり、前記計時部１２により生成された現時刻データＣＴを、前記復調・復号部１１により取得された時刻情報ＴＩに基づき修正することにより、いわゆる「現時刻の調整」を行う。
【００２７】
表示部１４は、例えば、液晶パネルを有し、前記計時部１２により生成された現時刻データＣＴにより規定される現時刻、又は、前記計時部１２により生成されかつ前記調整部１３により修正された現時刻データＣＴにより規定される現時刻を表示する。
【００２８】
制御部１５は、例えば、ＣＰＵからなり、電波時計１の動作全体の監視及び制御を行い、特に、当該復調・復号部１１が前記信号ＳＧ１を受信すべきタイミングを制御する。
【００２９】
電力生成部１６は、例えば、自動巻発電の機能を有し、前記ユーザが動作（例えば、仕事やスポーツで腕や身体を動かすこと。）を行うことに伴い当該電力生成部１６が物理的に（位置的に）動くことにより発電し、当該発電により得られた電力を、図１中で点線の矢印により示されるように、復調・復号部１１〜制御部１５、電力検出部１７に供給する。
【００３０】
電力検出部１７は、例えば、コンパレータからなり、前記電力生成部１６により生成される電力、即ち、電圧が所定の電圧（前記ユーザが前記動作を行っているか否かの判断基準となる電圧）より大きいか否かを判断することにより、当該電力生成部１６が電力を生成しているか否か、換言すれば、前記ユーザが動作を行っているか否かを判断する。
【００３１】
図２は、実施例１の電波時計の動作を示すフローチャートである。以下、実施例１の電波時計の動作を図２のフローチャートに沿って説明する。
【００３２】
ステップＳ１０：制御部１５は、時刻情報ＴＩを受信すべき時刻、即ち、夜中の３時、正確には、「０３時００分００秒」であるか否かを判断する。
【００３３】
ステップＳ１１：ステップＳ１０で夜中の３時であると判断すると、制御部１５は、その旨を電力検出部１７に通知する。当該通知を受けると、電力検出部１７は、電力生成部１６が電力を生成しているか否かを確認する。
【００３４】
ステップＳ１２：ステップＳ１１で電力検出部１７が電力の生成を検出すると、引き続き、電力生成部１６が継続的に電力を生成しているか否か、換言すれば、電力生成部１６が電力を生成していない時間があるか否かを確認する。
【００３５】
ステップＳ１３：ステップＳ１１で、電力検出部１７が、電力が生成されていないことを検出すると、又は、ステップＳ１２で、電力検出部１７が、電力が生成されていない時間があることを検出すると、電力検出部１７は、その旨を復調・復号部１１に通知する。当該通知を受けると、復調・復号部１１は、アンテナ部１０により受信された信号ＳＧ１を復調しかつ復号化することにより、時刻情報ＴＩを取得し、当該時刻情報ＴＩを調整部１３に出力する。
【００３６】
ステップＳ１４：調整部１３は、ステップＳ１３で、復調・復号部１１から時刻情報ＴＩの入力を受けると、当該時刻情報ＴＩに基づき、計時部１２が計時により生成する現時刻データＣＴを修正し、即ち、現時刻の調整を行う。これにより、例えば、実際の時刻より進んだ時刻である「０３時００分０１秒」を表す現時刻データＣＴを、時刻情報ＴＩ「０３時００分００秒」に基づき、「０３時００分００秒」に修正する。調整部１３は、当該修正された現時刻データＣＴを表示部１４に出力する。
【００３７】
ステップＳ１５：ステップＳ１０で、制御部１５が、夜中の３時でないと判断すると、又は、ステップＳ１２で、電力検出部１７が、電力が生成されていない時間が無いことを検出すると、表示部１４は、計時部１２から出力される、調整部１３による調整を受けていない現時刻データＣＴ「０３時００分０１秒」を表示する。他方で、ステップＳ１４で、現時刻データＣＴが調整部１３による調整を受けているとき、表示部１４は、調整部１３により調整を受けた現時刻データＣＴ「０３時００分００秒」を表示する。
【００３８】
上述したように、実施例１の電波時計１では、時刻情報ＴＩを含む信号ＳＧ１を受信すべき夜中の３時になった場合、電力検出部１７が、電力生成部１６が電力を生成しているか否か、換言すれば、ユーザが動作を行っているか否かを判断し、加えて、電力が生成されている判断されるときには、電力生成部１６が電力を生成していない時間があるか否か、換言すれば、ユーザが動作を一時的に停止（中断）しているか否かを判断する。その結果として、電力が生成されていないと判断するとき、又は、電力が基本的には生成されているものの、生成されていない時間があると判断するときに限り、即ち、前記ユーザが動作を行っていないと認められるときに限り、復調・復号部１１が、前記信号ＳＧ１の復調及び復号化を行う。これにより、当該電波時計１が静止状態にあるという条件下で受信された良好な信号ＳＧ１のみを復調及び復号化することができ、これにより、現時刻データＣＴを修正することができる。
【００３９】
《実施例２》
図３は、実施例２の電波時計の構成を示す。実施例２の電波時計２は、実施例１の信号ＳＧ１と同様に時刻情報ＴＩを含むものの、実施例１の信号ＳＧ１と異なりＰＮ符号等により拡散された、マイクロ波からなる信号ＳＧ２を受信すべく、実施例１の電波時計１を構成するアンテナ部１０〜電力検出部１７と同様な構成及び機能を有するアンテナ部２０〜電力検出部２７を含み、更に、電力蓄積部２８を含む。
【００４０】
電力蓄積部２８は、例えば、二次電池及びスーパーキャパシタであり、電力生成部２６により生成された電力の少なくとも一部を蓄積する。これにより、復調・復号部２１〜制御部２５、電力検出部２７への電力の供給は、（１）電力生成部２６単体により行われ、（２）電力蓄積部２８単体により行われ、又は、（３）電力生成部２６及び電力蓄積部２８の協働により行われる。
【００４１】
図４は、実施例２の電波時計の動作を示すフローチャートである。以下、実施例２の電波時計の動作を図４のフローチャートに沿って説明する。
【００４２】
ステップＳ２０：制御部２５は、時刻情報ＴＩを受信すべき時刻、即ち、夜中の３時であるか否かを判断する。
【００４３】
ステップＳ２１：ステップＳ２０で、制御部２５が夜中の３時（０３時００分００秒）であると判断すると、制御部２５は、その旨を電力検出部２７に通知する。当該通知を受けると、電力検出部２７は、電力生成部２６が、電波時計２が信号ＳＧ２の受信（信号ＳＧ２の復調・復号、信号ＳＧ２から取得された時刻情報ＴＩに基づく現時刻データＣＴの修正等）を行うのに充分な電力を生成している否か、又は、電力蓄積部２８が、当該充分な電力を蓄積しているか否かを確認する。
【００４４】
ステップＳ２２：ステップＳ２１で、電力検出部２７が、前記電力生成部２６により前記充分な電力が生成されていること、又は、前記電力蓄積部２８により前記充分な電力が蓄積されていることを検出すると、電力検出部２７は、その旨を復調・復号部２１に通知する。当該通知を受けると、復調・復号部２１は、アンテナ部２０により受信された信号ＳＧ２を復調しかつ復号化することにより、時刻情報ＴＩを取得し、当該時刻情報ＴＩを調整部２３に出力する。
【００４５】
ステップＳ２３：調整部２３は、ステップＳ２２で、復調・復号部１１から時刻情報ＴＩの入力を受けると、当該時刻情報ＴＩに基づき、計時部１２が計時により生成する現時刻データＣＴを修正し、現時刻の調整を行う。これにより、例えば、実際の時刻より遅れた時刻である「０２時５９分５９秒」を表す現時刻データＣＴを、時刻情報「０３時００分００秒」に基づき、「０３時００分００秒」に修正する。調整部２３は、当該修正された現時刻データＣＴを表示部２４に出力する。
【００４６】
ステップＳ２４：ステップＳ２０で、制御部２５が、夜中の３時でないと判断すると、又は、ステップＳ２１で、電力検出部２７が、充分な電力が生成されておらず又は蓄積されていないことを検出すると、表示部２４は、計時部２２から出力される、調整部２３による調整を受けていない現時刻データＣＴ「０２時５９分５９秒」を表示する。対照的に、ステップＳ２３で、現時刻データＣＴが調整部２３による調整を受けているとき、表示部２４は、調整部２３により調整を受けた現時刻データＣＴ「０３時００分００秒」を表示する。
【００４７】
上述したように、実施例２の電波時計２では、電力検出部２７が、信号ＳＧ２の受信を行うのに充分な電力が生成されているか否か、及び、蓄積されているか否かを確認し、当該充分な電力が生成されていること又は蓄積されていることを確認したときに限り、復調・復号部２１は、信号ＳＧ２の復調及び復号化を行い、かつ調整部２３が、当該信号ＳＧ２から得られる時刻情報ＴＩに基づき、計時部２２により生成された現時刻データＣＴを修正する。従来と異なり、電力不足に起因して、電波時計２の動作が不良になり、その結果として、現時刻データＣＴを修正することができないという事態を回避することが可能となる。
【００４８】
《実施例３》
図５は、実施例３の電波時計システムの構成を示す。実施例３の電波時計システム３には、図５に示されるように、上記した実施例１の電波時計１及び実施例２の電波時計２が混載されている。即ち、実施例３の電波時計システム３は、実施例１の電波時計１及び実施例２の電波時計２の両者の構成及び機能を有する。これにより、当該電波時計システム３が置かれた状況に応じて、実施例１の電波時計１の効果又は実施例２の電波時計２の効果を選択的に享受することが可能となる。
【図面の簡単な説明】
【００４９】
【図１】実施例１の構成を示す図。
【図２】実施例１の動作を示すフローチャート。
【図３】実施例２の構成を示す図。
【図４】実施例２の動作を示すフローチャート。
【図５】実施例３の構成を示す図。
【符号の説明】
【００５０】
１…電波時計、１０…アンテナ部、１１…復調・復号部、１２…計時部、１３…調整部、１４…表示部、１５…制御部、１６…電力生成部、１７…電力検出部、ＳＧ１…信号、ＴＩ…時刻情報、ＣＴ…現時刻データ。
【図１】
2009047569.tif 000003
【図２】
2009047569.tif 000004
【図３】
2009047569.tif 000005
【図４】
2009047569.tif 000006
【図５】
2009047569.tif 000007